(57)【要約】【課題】  ジョブの割り込みに関する利便性を向上することができる画像形成システムおよび画像形成プログラムを提供する。【解決手段】  ＭＦＰは、実行中のジョブをＭＦＰに指示した利用者との間の距離を取得し、取得した距離が第１の距離以上である場合（Ｓ１２１でＹＥＳ）に、全てのジョブの割り込み操作を操作部から受け付けることを許可し（Ｓ１２２）、取得した距離が第１の距離未満第２の距離以上である場合（Ｓ１２４でＹＥＳ）に、実行中のジョブの実行を妨げない全てのジョブの割り込み操作を操作部から受け付けることを許可する（Ｓ１２５）ことを特徴とする。【選択図】  図５
2019111778.tif 000002
【特許請求の範囲】
【請求項１】
操作デバイスを備える画像形成装置と、前記画像形成装置によって実行中のジョブを前記画像形成装置に指示した利用者との間の距離を取得する距離取得手段と、
前記距離取得手段によって取得された前記距離が特定の距離以上である場合に、ジョブの割り込み操作を前記操作デバイスから受け付ける操作受け付け手段と
を備えることを特徴とする画像形成システム。
【請求項２】
前記特定の距離は、第１の距離と、前記第１の距離より短い第２の距離とを含み、
前記操作受け付け手段は、
前記距離取得手段によって取得された前記距離が前記第１の距離以上である場合に、全てのジョブの前記割り込み操作を前記操作デバイスから受け付け、
前記距離取得手段によって取得された前記距離が前記第２の距離以上前記第１の距離未満である場合に、前記実行中のジョブの実行を妨げない全てのジョブの前記割り込み操作を前記操作デバイスから受け付けることを特徴とする請求項１に記載の画像形成システム。
【請求項３】
前記操作受け付け手段は、前記距離取得手段によって取得された前記距離が前記第２の距離未満である場合に、前記操作デバイスからの前記割り込み操作の受け付けを禁止することを特徴とする請求項２に記載の画像形成システム。
【請求項４】
前記操作受け付け手段による前記割り込み操作の受け付け状況を通知する状況通知手段を備えることを特徴とする請求項１から請求項３までのいずれかに記載の画像形成システム。
【請求項５】
操作デバイスを備える画像形成装置に、
前記画像形成装置によって実行中のジョブを前記画像形成装置に指示した利用者および前記画像形成装置の間の距離を取得する距離取得手段と、
前記距離取得手段によって取得された前記距離が特定の距離以上である場合に、ジョブの割り込み操作を前記操作デバイスから受け付ける操作受け付け手段と
を実現させることを特徴とする画像形成プログラム。
【発明の詳細な説明】
【技術分野】
【０００１】
本発明は、ジョブの割り込み操作を受け付ける画像形成システムおよび画像形成プログラムに関する。
【背景技術】
【０００２】
従来の画像形成システムとして、操作デバイスを備える画像形成装置と、この画像形成装置によって実行中のジョブをこの画像形成装置に指示した利用者との間の距離が特定の距離以上である場合に、ジョブの割り込み操作を操作デバイスから受け付けることを禁止するための指示を、この利用者から受け付けるものが知られている（例えば、特許文献１参照。）。
【先行技術文献】
【特許文献】
【０００３】
【特許文献１】特開２０１５−１０８８５５号公報
【発明の概要】
【発明が解決しようとする課題】
【０００４】
しかしながら、特許文献１に記載された画像形成システムにおいては、画像形成装置によって実行中のジョブを画像形成装置に指示した利用者が画像形成装置から離れているためにジョブが割り込まれても問題ない場合であっても、ジョブの割り込みが禁止される場合があるので、利便性が悪いという問題がある。
【０００５】
そこで、本発明は、ジョブの割り込みに関する利便性を向上することができる画像形成システムおよび画像形成プログラムを提供することを目的とする。
【課題を解決するための手段】
【０００６】
本発明の画像形成システムは、操作デバイスを備える画像形成装置と、前記画像形成装置によって実行中のジョブを前記画像形成装置に指示した利用者との間の距離を取得する距離取得手段と、前記距離取得手段によって取得された前記距離が特定の距離以上である場合に、ジョブの割り込み操作を前記操作デバイスから受け付ける操作受け付け手段とを備えることを特徴とする。
【０００７】
この構成により、本発明の画像形成システムは、画像形成装置と、この画像形成装置によって実行中のジョブをこの画像形成装置に指示した利用者との間の距離が特定の距離以上である場合に、ジョブの割り込み操作を画像形成装置の操作デバイスから受け付けるので、ジョブの割り込みに関する利便性を向上することができる。
【０００８】
本発明の画像形成システムにおいて、前記特定の距離は、第１の距離と、前記第１の距離より短い第２の距離とを含み、前記操作受け付け手段は、前記距離取得手段によって取得された前記距離が前記第１の距離以上である場合に、全てのジョブの前記割り込み操作を前記操作デバイスから受け付け、前記距離取得手段によって取得された前記距離が前記第２の距離以上前記第１の距離未満である場合に、前記実行中のジョブの実行を妨げない全てのジョブの前記割り込み操作を前記操作デバイスから受け付けても良い。
【０００９】
この構成により、本発明の画像形成システムは、画像形成装置と、この画像形成装置によって実行中のジョブをこの画像形成装置に指示した利用者との間の距離が長くなるのに応じて、割り込み操作を受け付けるジョブの範囲を段階的に広げるので、ジョブの割り込みに関する利便性を向上することができる。
【００１０】
本発明の画像形成システムにおいて、前記操作受け付け手段は、前記距離取得手段によって取得された前記距離が前記第２の距離未満である場合に、前記操作デバイスからの前記割り込み操作の受け付けを禁止しても良い。
【００１１】
この構成により、本発明の画像形成システムは、画像形成装置と、この画像形成装置によって実行中のジョブをこの画像形成装置に指示した利用者との間の距離が第２の距離未満である場合に、操作デバイスからのジョブの割り込み操作の受け付けを禁止するので、画像形成装置と、この画像形成装置によって実行中のジョブをこの画像形成装置に指示した利用者との間の距離が第２の距離未満である場合に、画像形成装置によって実行中のジョブをこの画像形成装置に指示した利用者以外の利用者によってジョブの割り込み操作が操作デバイスに入力される可能性を低減することができ、画像形成装置によって実行中のジョブをこの画像形成装置に指示した利用者に対する利便性を向上することができる。
【００１２】
本発明の画像形成システムは、前記操作受け付け手段による前記割り込み操作の受け付け状況を通知する状況通知手段を備えても良い。
【００１３】
この構成により、本発明の画像形成システムは、ジョブの割り込み操作の受け付け状況を通知するので、画像形成装置によって実行中のジョブをこの画像形成装置に指示した利用者以外の利用者、すなわち、ジョブの割り込み操作を実行する者に対する利便性を向上することができる。
【００１４】
本発明の画像形成プログラムは、操作デバイスを備える画像形成装置に、前記画像形成装置によって実行中のジョブを前記画像形成装置に指示した利用者および前記画像形成装置の間の距離を取得する距離取得手段と、前記距離取得手段によって取得された前記距離が特定の距離以上である場合に、ジョブの割り込み操作を前記操作デバイスから受け付ける操作受け付け手段とを実現させることを特徴とする。
【００１５】
この構成により、本発明の画像形成プログラムを実行する画像形成装置は、画像形成装置と、この画像形成装置によって実行中のジョブをこの画像形成装置に指示した利用者との間の距離が特定の距離以上である場合に、ジョブの割り込み操作を画像形成装置の操作デバイスから受け付けるので、ジョブの割り込みに関する利便性を向上することができる。
【発明の効果】
【００１６】
本発明の画像形成システムおよび画像形成プログラムは、ジョブの割り込みに関する利便性を向上することができる。
【図面の簡単な説明】
【００１７】
【図１】本発明の一実施の形態に係るシステムのブロック図である。
【図２】図１に示すＭＦＰのブロック図である。
【図３】図１に示す携帯機器のブロック図である。
【図４】図２に示すＭＦＰの動作のフローチャートである。
【図５】図４に示す割り込み操作受け付け状態設定処理のフローチャートである。
【発明を実施するための形態】
【００１８】
以下、本発明の実施の形態について、図面を用いて説明する。
【００１９】
まず、本発明の一実施の形態に係るシステムの構成について説明する。
【００２０】
図１は、本実施の形態に係るシステム１０のブロック図である。
【００２１】
図１に示すように、システム１０は、画像形成システムとしてのＭＦＰ（Ｍｕｌｔｉｆｕｎｃｔｉｏｎ  Ｐｅｒｉｐｈｅｒａｌ）２０と、スマートフォンなどの携帯機器３０とを備えている。ＭＦＰ２０と、携帯機器３０とは、Ｂｌｕｅｔｏｏｔｈ（登録商標）などの無線通信によって互いに通信可能である。
【００２２】
システム１０は、ＭＦＰ２０と同様のＭＦＰを、ＭＦＰ２０以外に少なくとも１つ備えることが可能である。
【００２３】
同様に、システム１０は、携帯機器３０と同様の携帯機器を、携帯機器３０以外に少なくとも１つ備えることが可能である。システム１０に備えられる携帯機器は、それぞれ、別々の利用者によって携帯される。
【００２４】
図２は、ＭＦＰ２０のブロック図である。
【００２５】
図２に示すように、ＭＦＰ２０は、種々の操作が入力される例えばボタンなどの操作デバイスである操作部２１と、種々の情報を表示する例えばＬＣＤ（Ｌｉｑｕｉｄ  Ｃｒｙｓｔａｌ  Ｄｉｓｐｌａｙ）などの表示デバイスである表示部２２と、用紙などの記録媒体に画像を印刷する印刷デバイスであるプリンター２３と、原稿から画像を読み取る読取デバイスであるスキャナー２４と、図示していない外部のファクシミリ装置と公衆電話回線などの通信回線経由でファックス通信を行うファックスデバイスであるファックス通信部２５と、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、外部の装置と通信を行う通信デバイスである通信部２６と、各種の情報を記憶する例えば半導体メモリー、ＨＤＤ（Ｈａｒｄ  Ｄｉｓｋ  Ｄｒｉｖｅ）などの不揮発性の記憶デバイスである記憶部２７と、ＭＦＰ２０全体を制御する制御部２８とを備えている。
【００２６】
記憶部２７は、画像形成プログラム２７ａを記憶している。画像形成プログラム２７ａは、例えば、ＭＦＰ２０の製造段階でＭＦＰ２０にインストールされていても良いし、ＵＳＢ（Ｕｎｉｖｅｒｓａｌ  Ｓｅｒｉａｌ  Ｂｕｓ）メモリーなどの外部の記憶媒体からＭＦＰ２０に追加でインストールされても良いし、ネットワーク上からＭＦＰ２０に追加でインストールされても良い。
【００２７】
記憶部２７は、利用者が携帯する携帯機器の識別情報を利用者毎に示す識別情報テーブル２７ｂを記憶している。
【００２８】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるメモリーとしてのＲＡＭ（Ｒａｎｄｏｍ  Ａｃｃｅｓｓ  Ｍｅｍｏｒｙ）とを備えている。ＣＰＵは、記憶部２７またはＲＯＭに記憶されているプログラムを実行する。
【００２９】
制御部２８は、画像形成プログラム２７ａを実行することによって、ＭＦＰ２０と、ＭＦＰ２０によって実行中のジョブをＭＦＰ２０に指示した利用者（以下「実行中ジョブ指示者」という。）との間の距離を取得する距離取得手段２８ａと、距離取得手段２８ａによって取得された距離が特定の距離以上である場合に、ジョブの割り込み操作を操作部２１から受け付ける操作受け付け手段２８ｂと、操作受け付け手段２８ｂによる割り込み操作の受け付け状況を通知する状況通知手段２８ｃとを実現する。
【００３０】
図３は、携帯機器３０のブロック図である。
【００３１】
図３に示すように、携帯機器３０は、種々の操作が入力される例えばボタンなどの入力デバイスである操作部３１と、種々の情報を表示する例えばＬＣＤなどの表示デバイスである表示部３２と、ネットワーク経由で、または、ネットワークを介さずに有線または無線によって直接に、外部の装置と通信を行う通信デバイスである通信部３３と、各種の情報を記憶する例えば半導体メモリー、ＨＤＤなどの不揮発性の記憶デバイスである記憶部３４と、携帯機器３０全体を制御する制御部３５とを備えている。
【００３２】
制御部３５は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３４に記憶されているプログラムを実行する。
【００３３】
次に、ＭＦＰ２０の動作について説明する。
【００３４】
利用者は、操作部２１を介してジョブの実行をＭＦＰ２０に指示することができる。ＭＦＰ２０によって実行されるジョブとしては、例えば、記憶部２７、ＵＳＢメモリーなどの外付けの記憶媒体、または、サーバーなどの外部の装置に記憶されたファイルに基づいた画像をプリンター２３によって記録媒体に印刷するプリントジョブと、スキャナー２４によって原稿から読み取った画像をプリンター２３によって記録媒体に印刷するコピージョブと、スキャナー２４によって原稿から読み取った画像のファイルや、記憶部２７、または、ＵＳＢメモリーなどの外付けの記憶媒体に記憶されたファイルをサーバーなどの外部の装置に送信する送信ジョブと、スキャナー２４によって原稿から読み取った画像や、記憶部２７、または、ＵＳＢメモリーなどの外付けの記憶媒体に記憶されたファイルに基づいた画像を外部のファクシミリ装置にファックス送信するファックス送信ジョブと、スキャナー２４によって原稿から読み取った画像のファイルや、ＵＳＢメモリーなどの外付けの記憶媒体、または、サーバーなどの外部の記憶装置に記憶されたファイルを記憶部２７に記憶する保存ジョブとが存在する。
【００３５】
ＭＦＰ２０の制御部２８は、操作部２１を介してジョブの実行が指示されると、指示されたジョブの実行を開始する。操作部２１を介して指示されたジョブが例えば大量の記録媒体への印刷を含むジョブである場合、制御部２８は、このジョブの終了まで、長時間を必要とする。制御部２８は、ジョブの実行を開始した場合、図４に示す動作を実行する。
【００３６】
図４は、ＭＦＰ２０の動作のフローチャートである。
【００３７】
図４に示すように、距離取得手段２８ａは、ＭＦＰ２０と、実行中ジョブ指示者との間の距離を取得する（Ｓ１０１）。ここで、利用者が携帯する携帯機器の制御部は、この携帯機器の識別情報を含んだビーコンの信号を通信部によって例えばＢｌｕｅｔｏｏｔｈで発している。したがって、距離取得手段２８ａは、実行中ジョブ指示者が携帯する携帯機器によって発せられたビーコンの信号を通信部２６によって受けることによって、受けた信号の電波強度と、信号に含まれる識別情報と、識別情報テーブル２７ｂとに基づいて、ＭＦＰ２０と、実行中ジョブ指示者が携帯する携帯機器との間の距離、すなわち、ＭＦＰ２０と、実行中ジョブ指示者との間の距離を取得することができる。
【００３８】
制御部２８は、Ｓ１０１の処理の後、ジョブの割り込み操作の受け付け状態を設定する割り込み操作受け付け状態設定処理を、Ｓ１０１において取得された距離を対象にして実行する（Ｓ１０２）。
【００３９】
図５は、図４に示す割り込み操作受け付け状態設定処理のフローチャートである。
【００４０】
図５に示すように、操作受け付け手段２８ｂは、対象の距離が第１の距離以上であるか否かを判断する（Ｓ１２１）。
【００４１】
操作受け付け手段２８ｂは、対象の距離が第１の距離以上であるとＳ１２１において判断すると、全てのジョブの割り込み操作を操作部２１から受け付けることを許可する（Ｓ１２２）。
【００４２】
次いで、状況通知手段２８ｃは、全てのジョブの割り込み操作を操作部２１から受け付けることを許可していることを、ＭＦＰ２０の周辺に存在する携帯機器に通信部２６によって例えばＢｌｕｅｔｏｏｔｈで通知する（Ｓ１２３）。例えば、状況通知手段２８ｃは、「現在、ＭＦＰは、ジョブを実行中です。しかしながら、全てのジョブの割り込み操作は可能です。」といった情報を通知する。ＭＦＰ２０の周辺に存在する携帯機器の制御部は、ＭＦＰ２０から通知された情報を表示部に表示することによって、ＭＦＰ２０から通知された情報を、携帯機器自身を携帯している利用者に認識させることができる。したがって、ＭＦＰ２０の周辺に存在する携帯機器を携帯している、実行中ジョブ指示者以外の利用者、すなわち、ＭＦＰ２０の周辺に存在する、実行中ジョブ指示者以外の利用者は、ジョブをＭＦＰに実行させることを希望する場合に、実行中ジョブ指示者が離れているＭＦＰ２０の場所まで移動して、希望のジョブの割り込み操作をＭＦＰ２０の操作部２１に入力することができる。
【００４３】
操作受け付け手段２８ｂは、対象の距離が第１の距離以上ではないとＳ１２１において判断すると、対象の距離が第１の距離より短い第２の距離以上であるか否かを判断する（Ｓ１２４）。
【００４４】
操作受け付け手段２８ｂは、対象の距離が第２の距離以上であるとＳ１２４において判断すると、実行中のジョブの実行を妨げない全てのジョブの割り込み操作を操作部２１から受け付けることを許可する（Ｓ１２５）。例えば、実行中のジョブがプリントジョブである場合、プリントジョブは「実行中のジョブの実行を妨げないジョブ」ではないが、プリンター２３による印刷を含むコピージョブも「実行中のジョブの実行を妨げないジョブ」ではない。すなわち、ＭＦＰ２０が有する複数の機能（例えば、印刷、原稿読取、送信、保存）のうち、実行中のジョブが利用する機能と同じ機能を利用するジョブは、「実行中のジョブの実行を妨げないジョブ」ではない。一方、実行中のジョブがプリントジョブである場合、送信ジョブ、ファックス送信ジョブまたは保存ジョブは「実行中のジョブの実行を妨げないジョブ」である。すなわち、ＭＦＰ２０が有する複数の機能のうち、実行中のジョブが利用する機能と同じ機能を利用しないジョブは、「実行中のジョブの実行を妨げないジョブ」である。
【００４５】
次いで、状況通知手段２８ｃは、実行中のジョブの実行を妨げない全てのジョブの割り込み操作を操作部２１から受け付けることを許可していることを、ＭＦＰ２０の周辺に存在する携帯機器に通信部２６によって例えばＢｌｕｅｔｏｏｔｈで通知する（Ｓ１２６）。例えば、状況通知手段２８ｃは、「現在、ＭＦＰは、ジョブを実行中です。しかしながら、プリントジョブと、コピージョブとを除くジョブの割り込み操作は可能です。」といった情報を通知する。ＭＦＰ２０の周辺に存在する携帯機器の制御部は、ＭＦＰ２０から通知された情報を表示部に表示することによって、ＭＦＰ２０から通知された情報を、携帯機器自身を携帯している利用者に認識させることができる。したがって、ＭＦＰ２０の周辺に存在する携帯機器を携帯している、実行中ジョブ指示者以外の利用者、すなわち、ＭＦＰ２０の周辺に存在する、実行中ジョブ指示者以外の利用者は、ＭＦＰ２０で割り込み操作の受け付けが許可されていないジョブをＭＦＰに実行させることを希望する場合に、ＭＦＰ２０の場所まで無駄に移動することなく、ＭＦＰ２０以外のＭＦＰに近付くことができる。一方、ＭＦＰ２０の周辺に存在する、実行中ジョブ指示者以外の利用者は、ＭＦＰ２０で割り込み操作の受け付けが許可されているジョブをＭＦＰに実行させることを希望する場合に、実行中ジョブ指示者が離れているＭＦＰ２０の場所まで移動して、希望のジョブの割り込み操作をＭＦＰ２０の操作部２１に入力することができる。
【００４６】
操作受け付け手段２８ｂは、対象の距離が第２の距離以上ではないとＳ１２４において判断すると、操作部２１からのジョブの割り込み操作の受け付けを禁止する（Ｓ１２７）。
【００４７】
次いで、状況通知手段２８ｃは、操作部２１からのジョブの割り込み操作の受け付けを禁止していることを、ＭＦＰ２０の周辺に存在する携帯機器に通信部２６によって例えばＢｌｕｅｔｏｏｔｈで通知する（Ｓ１２８）。例えば、状況通知手段２８ｃは、「現在、ＭＦＰは、利用者によって使用されています。したがいまして、ジョブの割り込み操作はできません。」といった情報を通知する。ＭＦＰ２０の周辺に存在する携帯機器の制御部は、ＭＦＰ２０から通知された情報を表示部に表示することによって、ＭＦＰ２０から通知された情報を、携帯機器自身を携帯している利用者に認識させることができる。したがって、ＭＦＰ２０の周辺に存在する携帯機器を携帯している、実行中ジョブ指示者以外の利用者、すなわち、ＭＦＰ２０の周辺に存在する、実行中ジョブ指示者以外の利用者は、ＭＦＰにジョブを実行させることを希望する場合に、ジョブの割り込み操作ができないＭＦＰ２０の場所まで無駄に移動することなく、ＭＦＰ２０以外のＭＦＰに近付くことができる。
【００４８】
制御部２８は、Ｓ１２３、Ｓ１２６またはＳ１２８の処理の後、図５に示す割り込み操作受け付け状態設定処理を終了する。
【００４９】
図４に示すように、操作受け付け手段２８ｂは、Ｓ１０２の割り込み操作受け付け状態設定処理の終了後、ＭＦＰ２０によって実行中のジョブが存在するか否かを判断する（Ｓ１０３）。
【００５０】
距離取得手段２８ａは、ＭＦＰ２０によって実行中のジョブが存在するとＳ１０３において判断すると、Ｓ１０１の処理と同様に、ＭＦＰ２０と、実行中ジョブ指示者との間の距離を取得する（Ｓ１０４）。
【００５１】
次いで、操作受け付け手段２８ｂは、直前に取得された２回分の距離の範囲、すなわち、直前のＳ１０４において取得された距離の範囲と、その直前にＳ１０１またはＳ１０４において取得された距離の範囲とが変化したか否かを判断する（Ｓ１０５）。ここで、範囲には、第１の距離以上の範囲と、第１の距離未満第２の距離以上の範囲と、第２の距離未満の範囲との３種類が存在する。
【００５２】
操作受け付け手段２８ｂは、直前に取得された２回分の距離の範囲が変化していないとＳ１０５において判断すると、Ｓ１０３の処理を実行する。
【００５３】
操作受け付け手段２８ｂは、直前に取得された２回分の距離の範囲が変化したとＳ１０５において判断すると、直前のＳ１０４において取得された距離を対象にしてＳ１０２の処理を実行する。
【００５４】
操作受け付け手段２８ｂは、ＭＦＰ２０によって実行中のジョブが存在しないとＳ１０３において判断すると、操作部２１からのジョブの割り込み操作の受け付けを禁止する（Ｓ１０６）。
【００５５】
次いで、状況通知手段２８ｃは、操作部２１からのジョブの割り込み操作の受け付けを禁止していることを、ＭＦＰ２０の周辺に存在する携帯機器に通信部２６によって例えばＢｌｕｅｔｏｏｔｈで通知する（Ｓ１０７）。例えば、状況通知手段２８ｃは、「現在、ＭＦＰは、ジョブを実行していません。したがいまして、ジョブの割り込み操作はできません。」といった情報を通知する。したがって、ＭＦＰ２０の周辺に存在する携帯機器の制御部は、ＭＦＰ２０から通知された情報を表示部に表示することによって、ＭＦＰ２０から通知された情報を、携帯機器自身を携帯している利用者に認識させることができる。
【００５６】
制御部２８は、Ｓ１０７の処理の後、図４に示す動作を終了する。
【００５７】
以上に説明したように、ＭＦＰ２０は、実行中ジョブ指示者との間の距離が特定の距離以上である場合（Ｓ１２１でＹＥＳまたはＳ１２４でＹＥＳ）に、ジョブの割り込み操作を操作部２１から受け付ける（Ｓ１２２またはＳ１２５）ので、ジョブの割り込みに関する利便性を向上することができる。
【００５８】
実行中ジョブ指示者がＭＦＰ２０から離れているが比較的近くに存在する場合、実行中ジョブ指示者がＭＦＰ２０の場所に直ぐに戻る可能性は高い。実行中ジョブ指示者がＭＦＰ２０から遠く離れている場合、実行中ジョブ指示者がＭＦＰ２０の場所に直ぐに戻る可能性は低い。ＭＦＰ２０は、実行中ジョブ指示者との間の距離が長くなるのに応じて、割り込み操作を受け付けるジョブの範囲を段階的に広げる（Ｓ１２２およびＳ１２５）ので、ジョブの割り込みに関する利便性を向上することができる。
【００５９】
実行中ジョブ指示者がＭＦＰ２０の近くに存在する場合、実行中ジョブ指示者がＭＦＰ２０の操作部２１を操作している可能性が高い。ＭＦＰ２０は、実行中ジョブ指示者との間の距離が第２の距離未満である場合（Ｓ１２４でＮＯ）に、操作部２１からのジョブの割り込み操作の受け付けを禁止する（Ｓ１２７）ので、実行中ジョブ指示者との間の距離が第２の距離未満である場合に、実行中ジョブ指示者以外の利用者によってジョブの割り込み操作が操作部２１に入力される可能性を低減することができ、実行中ジョブ指示者に対する利便性を向上することができる。
【００６０】
ＭＦＰ２０は、ジョブの割り込み操作の受け付け状況を通知する（Ｓ１２３、Ｓ１２６およびＳ１２８）ので、実行中ジョブ指示者以外の利用者、すなわち、ジョブの割り込み操作を実行する者に対する利便性を向上することができる。
【００６１】
本発明の画像形成システムは、本実施の形態においてＭＦＰであるが、コピー専用機など、ＭＦＰ以外の画像形成装置でも良いし、画像形成装置と、他の少なくとも１つの電子機器とによって構成されても良い。
【符号の説明】
【００６２】
２０  ＭＦＰ（画像形成システム、画像形成装置）
２１  操作部（操作デバイス）
２７ａ  画像形成プログラム
２８ａ  距離取得手段
２８ｂ  操作受け付け手段
２８ｃ  状況通知手段
【図１】
2019111778.tif 000003
【図２】
2019111778.tif 000004
【図３】
2019111778.tif 000005
【図４】
2019111778.tif 000006
【図５】
2019111778.tif 000007